(57)【要約】【課題】様々な条件の軸受に代替する可能性が高く、メンテナンスが容易になり、非常に精密で繊細な一般的な軸受（ベアリング）と比べ部品交換や再利用が容易となる軸受を提供する。【解決手段】ローラー１をシャフト２により取付けたピンローラー本体３にパッキン６を取付け、取付台４に挿入し蓋ナット５により固定することにより密封する。ローラー１の出幅は、パッキン６により微調整する。保持対象物０がシャフトであれば通常の軸受の役割を担い、保持対象物０がスクリューなどの場合でも、一般的には困難である軸受が可能である。また一般的な転がり軸受では困難な往復運動の場合でも対応できる。軸受の状況確認は一般的には容易ではないが、本発明によれば全体的な分解をせずに容易に軸受の状態が確認でき、また交換ができる。【選択図】図４
2006349158.tif 000002
【特許請求の範囲】
【請求項１】
軸などの回転運動や往復運動を保持するころ軸受において、取付台とピンローラー本体とを分割式とし、ナット式もしくはボルト式の蓋により密封することにより容易に着脱が可能であることを特徴とするころ軸受。
【請求項２】
急傾斜用スクリューコンベヤのリボンスクリューの振れ止めとして使用する請求項１記載の軸受。
【発明の詳細な説明】
【技術分野】
【０００１】  本発明は、着脱が容易で回転運動や往復運動に対応するころ軸受に関するものである。
【背景技術】
【０００２】  従来の技術としては類似技術として、特開２００３−１８４８９２などがある。これは、内外輪の中間にあるころをピンで保持器具に固定するという方法である。
【特許文献１】特開２００３−１８４８９２公報
【０００３】  また、保持対象物がスクリューなどの回転体である場合、特開２００２−３２１８１２がある。これは垂直など急傾斜に配置された筒状ケーシングの中に回転自在なリボンスクリューを配置し、その撓みや伸縮，揺動を解消するためにリボンスクリュー外周にリングを溶着等で固定し、リングと一体化したリボンスクリューを軸とみなし、リング部をローラーやベアリングなどで軸受するという方法である。
【特許文献２】特開２００２−３２１８１２号公報
【０００４】  一般的に軸受の種類は、すべり軸受、転がり軸受に大別され、すべり軸受は主に往復運動や揺動運動の強い部位、低速回転などに使用され、構造は単純であり、主に磨耗により寿命が決定される。回転軸受は主に高い応力を求められる高速回転などに使用され、寿命は比較的長いが、構造が複雑で比較的肉厚であり、また概して往復運動には適さない。尚、本発明は転がり軸受に分類される。
【発明の開示】
【発明が解決しようとする課題】
【０００５】  特開２００３−１８４８９２における技術は、内外輪の中間にあるころをピンで保持器具に固定するという方法であり、保持器具が連続しておりこのままでは単体として使用することができない。仮に単体としてこの技術を見た場合、ピンを保持器具に強固に固定することを目的としているが、強固に固定することにより部品交換が困難になるという問題がある。【０００６】  特開２００２−３２１８１２における技術は、段落０００３記載の通りリングと一体化したリボンスクリューを軸とみなし、リング部をローラーやベアリングなどで軸受するという方法であるが、リボンスクリューに対する加工、外殻である筒状ケーシングの加工、ローラーやベアリング組込のための加工と部品点数が多く、また組立又は分解が複雑になるという問題がある。【０００７】  一般的なベアリングの方式では、段落０００４記載の通りであり、転がり軸受は概して往復運動には適さないという問題がある。また軸受は全般的に機械の中で中核に位置することが多く交換や点検は容易ではない場合が多いという問題がある。
【課題を解決するための手段】
【０００８】  段落０００５記載の問題を解決するための手段を記載する。ピンローラー本体３にピン２を用いてころ１を固定する。該ピンローラー本体３を取付台４に挿入し蓋ナット５により挟み込み固定する。このときピンローラー本体３とピン２を溶着などにより強固に固定しなければ、点検又は交換などの目的で取付台４からピンローラー３を外した場合にころ１やピン２の其々単体の交換が容易となる。ピンローラー本体３からピン２が脱落することを防止するのは基本的には取付台４の挿入口とピンローラー本体３との隙間を小さくすることによって実現する。用途や強度など設計条件により必要な場合には、ピンローラー本体３とピン２を溶着などにより強固な固定をすることが好ましい。【０００９】  段落０００６記載の問題を解決するための手段を記載する。回転するリボンスクリューに対し外殻である筒状ケーシングに取付台４を溶着し固定する。設置位置及び設置個数はリボンスクリューのピッチ、回転数、支点間距離、想定挙動その他の条件により決定する。その時、噛み込み防止のため筒状ケーシング内縁側にはころ１以外の物質（ピンローラー３支点部など）を突出させないように調整すること並びにころ１にはテーパーをかけることが好ましい。また、揺動が激しいためころ１は樹脂又は特殊プラスチックなどとすることが好ましい。【００１０】  段落０００７記載の問題を解決するための手段を記載する。例えば図６のようにころの形状を変化させ、軸心方向にころ１が回転するようにピンローラー本体３を固定することによって往復運動にも対応することを実現する。また、シャフトを容易に分解できる構造は例外であるが、中核である軸（シャフト）を分解した上でなければ軸受を点検又は交換することが難解である場合、取付台４とピンローラー本体３とを分離可能な構造とすることにより外部から容易に点検又は交換できることを実現する。
【発明の効果】
【００１１】  以上に述べたごとく、本発明の簡易着脱式ころ軸受によれば、回転運動体や往復運動体を含め様々な条件に対し柔軟な対応力を持ち、尚且つ容易に着脱が可能である軸受を提供できる。また、軸の状況の確認が容易であり、即ち状況把握が容易になる。更に交換に際してころ１又はピン２又はピンローラー本体３それぞれ単体での交換が可能となる。【００１２】  またスクリューコンベアのリボンスクリューを保持する場合、特開２００２−３２１８１２ではリボンスクリュー本体へのリング取付加工、外殻の筒状ケーシングへのフランジ接合部位の追加並びに該接合部位へのローラーなどベアリングの追加加工などによる複雑な構造を要するが、本発明によればスクリューコンベアの組立又は分解には影響を与えず部品点数を減らし単純化し、尚且つころ軸受の点検又は交換を容易にしながら振動、騒音並びにリボンスクリューの撓みを防ぐことを実現する。
【発明を実施するための最良の形態】
【００１３】  以下、本発明の実施の形態を図１〜図６に基づいて説明する。
ローラー１をシャフト２により取付けたピンローラー本体３にパッキン６を取付け、取付台４に挿入し蓋ナット５により固定することにより密封する。ローラー１の出幅は、パッキン６により微調整する。尚、ピンローラー本体３と取付台４の嵌合部はころ１の回転方向を変動させないために四角形などの形状とする。また、設置位置及び設置個数は諸設計条件により決定する。【００１４】  保持対象物０がリボンスクリューの場合には噛み込み防止のため筒状ケーシング内縁側にはころ１以外の物質（ピンローラー３支点部など）を突出させないように調整すること並びにころ１にはテーパーをかけることが好ましい。また、揺動が激しく搬送目的物の抵抗に対応するため、ころ１は樹脂又は特殊プラスチックなどとすることが好ましい。【００１５】  保持対象物０が往復運動体である場合には図６のようにころ１の形状を変化させ、軸心方向にころ１が回転するようにピンローラー本体３を固定する
【産業上の利用可能性】
【００１６】様々な条件の軸受に代替する可能性が高く、メンテナンスが容易になり、非常に精密で繊細な一般的な軸受（ベアリング）と比べ部品交換や再利用が容易となる。
【図面の簡単な説明】
【００１７】
【図１】ピンローラー本体の側面図１である
【図２】ピンローラー本体の側面図２である。
【図３】本発明使用時の断面図１である。
【図４】本発明使用時の断面図２である。
【図５】取付台（雄ネジ）４及び蓋ナット５の断面図である。
【図６】保持対象物が往復運動体である場合の本発明実施例の断面図である。
【符号の説明】
【００１８】１    ころ
２    ピン
３    ピンローラー本体
４    取付台
５    蓋ナット
６    パッキン
０    保持対象物
【図１】
2006349158.tif 000003
【図２】
2006349158.tif 000004
【図３】
2006349158.tif 000005
【図４】
2006349158.tif 000006
【図５】
2006349158.tif 000007
【図６】
2006349158.tif 000008